(57)【要約】【課題】作製が容易であり、且つ、紙粉が発生しにくい梱包箱、及び該梱包箱にロールを収容してなる箱入りロールを提供する。【解決手段】平行する二組の側面からなる角筒部、及び側面を上下にそれぞれ延長してなるフラップを備え、該フラップで上面及び下面を形成し、ロール状の被収容物を収容する梱包箱であって、上面及び／又は下面を形成するフラップのうち梱包時に内側に重ねられるフラップの先端部に、該先端部の一部を延長した第一延長部と、該第一延長部の両側に形成された第二延長部及び第三延長部と、からなるロール支持片が備えられ、梱包時に、第二延長部及び第三延長部を内側に折り曲げ、向かい合うフラップに備えられたロール支持片の第一延長部同士を背中合わせにすることで形成されるロール支持部を、被収容物の中空部に挿入し、被収容物を支持することを特徴とする、梱包箱、及び該梱包箱にロール収容してなる箱入りロールとする。【選択図】図１
2010070197.tif 000002
【特許請求の範囲】
【請求項１】
平行する二組の側面からなる角筒部、及び前記側面を上下にそれぞれ延長してなるフラップを備え、前記角筒部の内周面側に、中空部を有するロール状の被収容物を収容し、向かい合う前記フラップ同士を互いの付け根から等距離の位置で先端部が突き合うように折り曲げて上面、及び下面を形成する梱包箱であって、
前記上面及び／又は前記下面を形成する前記フラップのうち梱包時に内側に重ねられる前記フラップの先端部に、該先端部の中央部を延長した第一延長部と、前記フラップ及び前記第一延長部の並び方向に対して略直交方向で前記第一延長部の両側に延在する、第二延長部及び第三延長部と、からなるロール支持片が備えられ、
梱包時に、前記第二延長部及び前記第三延長部を内側に折り曲げるとともに前記第一延長部を内側に折り曲げ、向かい合う前記フラップに備えられた前記ロール支持片の前記第一延長部同士を背中合わせにすることで形成されるロール支持部を、前記被収容物の前記中空部に挿入し、前記被収容物を支持することを特徴とする、梱包箱。
【請求項２】
前記第二延長部と前記第三延長部との長さが略同一で、前記略直交方向での前記第二延長部と前記第三延長部との長さの合計が前記第一延長部の長さより大であり、
梱包時に、前記第二延長部及び前記第三延長部が接するように、前記第一延長部と前記第二延長部との間、及び、前記第一延長部と前記第三延長部との間で折り曲げ可能となるように、第一折り目が形成されている、請求項１に記載の梱包箱。
【請求項３】
前記第二延長部及び前記第三延長部に、前記第一延長部側の内片と反対側の外片とに分ける第二折り目がそれぞれ備えられ、
梱包時に、前記第一延長部と前記第二延長部との間、及び、前記第一延長部と前記第三延長部との間で、前記第二延長部及び前記第三延長部の前記内片同士が近づく方向に折り曲げるとともに、前記第二折り目で前記第二延長部及び前記第三延長部の前記外片同士が遠ざかる方向に折り曲げられる、請求項１又は２に記載の梱包箱。
【請求項４】
前記被収容物が、食品包装用材料又は衛生材料である、請求項１〜３のいずれかに記載の梱包箱。
【請求項５】
ロール状の被収容物を請求項１〜４のいずれかに記載の梱包箱に収容してなる、箱入りロール。
【発明の詳細な説明】
【技術分野】
【０００１】
本発明は、ロール状に巻かれたフィルムなどを収容するための梱包箱、及び該梱包箱に収容された箱入りのロールに関するものである。
【背景技術】
【０００２】
紙やフィルムなどの薄いシート状の部材は、ロール状に巻回して段ボール箱などに収容し、運搬及び保管されるものが多い。従来、ロール状にした被収容物（以下、単に「ロール」ということがある。）を段ボール箱などで梱包する際には、ロールの断面の保護などを目的として、ロールの上面及び下面に、紙製や金属製のパットを敷き、さらにそのパットとロールとをワッシャで固定する方法が採られていた。このような方法でロールを梱包した場合、開梱後にはパットとワッシャは不要になるため、それらはごみとして廃棄されていた。
【０００３】
しかし、昨今、環境問題への関心の高まりなどから、ごみの排出量削減が望まれており、上記したパットやワッシャを廃棄することが問題となっていた。かかる問題を解決し得る技術として、例えば、特許文献１には、開口平面正方形状で角筒状の本体と、幅が被収容物の内径とほぼ等しい係止片を有する本体の両端部にそれぞれ対向して設けられた外フラップと、幅が被収容物の内径とほぼ等しく、係止片が嵌入される嵌合溝を形成するスリットを有する嵌合片を備えた本体の両端部にそれぞれ対向して設けられた内フラップとにより構成され、梱包時に各係止片及び嵌合片を組み立てることにより、被収容物の保持部が形成される梱包箱に関する技術が開示されている。
【特許文献１】特開２０００−１０９０５２号公報
【発明の開示】
【発明が解決しようとする課題】
【０００４】
しかしながら、上記特許文献１に開示されている技術では、内フラップと外フラップの全てを加工する必要があり、梱包箱を作製する際に必要とされる加工が多くなるという問題があった。また、フラップにスリットを設ける必要があり、このような加工を行うと梱包箱から紙粉が発生しやすくなる虞があるという問題もあった。紙粉の発生は、被収容物が食品包装用材料や衛生材料などである場合に特に問題となっていた。
【課題を解決するための手段】
【０００５】
そこで、本発明は、作製が容易であり、且つ、紙粉が発生しにくい梱包箱、及び該梱包箱にロールを収容してなる箱入りロールを提供する。
【０００６】
すなわち、第１の本発明は、平行する二組の側面からなる角筒部、及び側面を上下にそれぞれ延長してなるフラップを備え、角筒部の内周面側に、中空部を有するロール状の被収容物を収容し、向かい合うフラップ同士を互いの付け根から等距離の位置で先端部が突き合うように折り曲げて上面、及び下面を形成する梱包箱であって、上面及び／又は下面を形成するフラップのうち梱包時に内側に重ねられるフラップの先端部に、該先端部の中央部を延長した第一延長部と、フラップ及び第一延長部の並び方向に対して略直交方向で第一延長部の両側に延在する、第二延長部及び第三延長部と、からなるロール支持片が備えられ、梱包時に、第二延長部及び第三延長部を内側に折り曲げるとともに第一延長部を内側に折り曲げ、向かい合うフラップに備えられたロール支持片の第一延長部同士を背中合わせにすることで形成されるロール支持部を、被収容物の中空部に挿入し、被収容物を支持することを特徴とする、梱包箱である。
【０００７】
上記第１の本発明の梱包箱は、第二延長部と第三延長部との長さが略同一で、フラップ及び第一延長部の並び方向に対して略直交方向での第二延長部と第三延長部との長さの合計が第一延長部の長さより大であり、梱包時に、第二延長部及び第三延長部が接するように、第一延長部と第二延長部との間、及び、第一延長部と第三延長部との間で折り曲げ可能となるように、第一折り目が形成されていることが好ましい。このような形態とすることによって、被収容物と梱包箱とを強固に固定することができる。
【０００８】
また、上記第１の本発明の梱包箱は、第二延長部及び第三延長部に、第一延長部側の内片と反対側の外片とに分ける第二折り目がそれぞれ備えられ、梱包時に、第一延長部と第二延長部との間、及び第一延長部と第三延長部との間で、第二延長部及び第三延長部の内片同士が近づく方向に折り曲げるとともに、第二折り目で第二延長部及び第三延長部の外片同士が遠ざかる方向に折り曲げられる形態とすることもできる。このような形態とすることによって、被収容物と梱包箱とを強固に固定することができる。
【０００９】
また、上記第１の本発明の梱包箱は、被収容物が食品包装用材料や衛生材料である場合に好適に用いることができる。
【００１０】
第２の本発明は、ロール状の被収容物を第１の本発明の梱包箱に収容してなる、箱入りロールである。
【発明の効果】
【００１１】
第１の本発明によれば、箱の構造のみで被収容物を支持することができる梱包箱であって、少ない加工で作製することができるとともに作製する際に抜き打ち加工を必要しないため、作製が容易であり、且つ、紙粉が発生しにくい梱包箱を得ることができる。
【００１２】
第２の本発明によれば、作製が容易であり、且つ、紙粉が発生しにくい梱包箱に、ロール状の被収容物が収容された、箱入りロールを得ることができる。
【発明を実施するための最良の形態】
【００１３】
以下、図面を参照しつつ、本発明の実施の形態を挙げて詳細に説明する。
【００１４】
図１は、ロールが収容され、上面が開放された状態の本発明の梱包箱の一例を概略的に示す斜視図である。図１において破線は隠れ線を意味する。図２は、図１に示した状態の本発明の梱包箱の上面図である。図１及び２では、図が煩雑になるのを防ぐため、一部符号を省略している。
【００１５】
図１に示すように、本発明の梱包箱１は、組み立てられた状態では上面及び下面が略正方形の直方体であり、平行する二組の側面によって形成される角筒部２の内周面側に中空部４ａを有するロール状の被収容物４（以下、「ロール４」という。）を収容する。さらに、図１及び２に示すように、梱包箱１では、ロール４の中空部４ａに上下からロール支持部（図１及び２では下側のロール支持部３のみ図示している。）を挿入することで、梱包箱１内においてロール４の位置を固定することができる。なお、ロール４は通常所定の幅を持った長尺のフィルム、又はシート状の部材を巻き芯である中空の紙管あるいはプラスチック管上に巻回して巻き取ったものであり、ロール４の中空部４ａは巻き芯の中空部でもある。一般にロール４を構成するフィルム等の材料が同一であれば巻き芯も同じものが使用される。すなわち、ロール４を構成する材料が決まれば、中空部４ａの径も決まる。
【００１６】
梱包箱１の構成について、展開図を用いてより詳細に説明する。図３は、図１に示した形態の本発明の梱包箱が展開された状態を概略的に示す図である。図３において１点鎖線は折り線を意味する。図３では、図が煩雑になるのを防ぐため、一部符号を省略している。
【００１７】
図３に示すように、梱包箱１は、展開された状態では１枚の板紙である。梱包箱１は、従来の、例えば特許文献１に開示されているような箱自体の構造のみで被収容物を支持することができる梱包箱に比べて、作製時に必要とされる加工が少ない。具体的には、従来の梱包箱では例えば天面側で４枚全てのフラップを加工する必要があったが、梱包箱１では半分の２枚のフラップを加工するだけで良い。
また、打ち抜き加工などの複雑な加工を必要としないという利点も有する。打ち抜き加工を必要としないことによって、紙粉が発生しにくい梱包箱とすることができる。
梱包箱１として用いることができる素材は特に限定されず、段ボールなど、梱包箱用の資材として一般的に用いられるものを用いることができる。
【００１８】
図３に示すように、梱包箱１が展開された状態では、側面１１、１２、１３、及び１４と糊代１５とが、折り目１１ａ、１２ａ、１３ａ、及び１４ａを介して一方向に連続して備えられる。また、側面１１、１２、１３、及び１４の上下には、折り目１１ｂ、１２ｂ、１３ｂ、１４ｂ、１１ｃ、１２ｃ、１３ｃ、及び１４ｃを介してフラップ２１、２２、２３、２４、３１、３２、３３、及び３４が備えられる。さらに、フラップ２２、２４、３２、及び３４の先端部２２ａ、２４ａ、３２ａ、及び３４ａには、ロール支持片４０、５０、６０、及び７０が備えられる。
【００１９】
ロール支持片４０は、先端部２２ａの中央部を延長し、折り目４１ａを介して備えられる第一延長部４１と、フラップ２２及び第一延長部４１の並び方向に対して略直交方向で第一延長部４１の両側に備えられる第二延長部４２及び第三延長部４３とからなる。第二延長部４２と第三延長部４３との長さは略同一で、フラップ２２及び第一延長部４１の並び方向に対して略直交方向での第二延長部４２と第三延長部４３との長さの合計は第一延長部４１の長さより大である。
【００２０】
ロール支持片５０は、先端部２４ａの中央部を延長し、折り目５１ａを介して備えられる第一延長部５１と、フラップ２４及び第一延長部５１の並び方向に対して略直交方向で第一延長部５１の両側に備えられる第二延長部５２及び第三延長部５３とからなる。第二延長部５２と第三延長部５３との長さは略同一で、フラップ２４及び第一延長部５１の並び方向に対して略直交方向での第二延長部５２と第三延長部５３との長さの合計は第一延長部４１の長さより大である。
【００２１】
ロール支持片６０は、先端部３２ａの中央部を延長し、折り目６１ａを介して備えられる第一延長部６１と、フラップ３２及び第一延長部６１の並び方向に対して略直交方向で第一延長部６１の両側に備えられる第二延長部６２及び第三延長部６３とからなる。第二延長部６２と第三延長部６３との長さは略同一で、フラップ３２及び第一延長部６１の並び方向に対して略直交方向での第二延長部６２と第三延長部６３との長さの合計は第一延長部６１の長さより大である。
【００２２】
ロール支持片７０は、先端部３４ａの中央部を延長し、折り目７１ａを介して備えられる第一延長部７１と、フラップ３４及び第一延長部７１の並び方向に対して略直交方向で第一延長部７１の両側に備えられる第二延長部７２及び第三延長部７３とからなる。第二延長部７２と第三延長部７３との長さは略同一で、フラップ３４及び第一延長部７１の並び方向に対して略直交方向での第二延長部７２と第三延長部７３との長さの合計は第一延長部７１の長さより大である。
【００２３】
次に、図３に示した１枚の板紙から図１及び２に示した状態まで梱包箱１を組み立てる手順について以下に説明する。
【００２４】
まず、折り目１１ａ、１２ａ、１３ａ、及び１４ａで折り曲げ、糊代１５と側面１４の端部とを重ねて固定することで、平行する二組の側面１１、及び１３と側面１２、及び１４とからなる角筒部２を形成する。
【００２５】
次に、側面１２を下側に延長してなるフラップ２２と側面１４を下側に延長してなるフラップ２４とを、互いの付け根（折り目１２ｂ、１４ｂ）から等距離の位置で先端部２２ａと先端部２４ａとが突き合うように、且つ、フラップ２２、及び２４がほぼ面一になるように、折り目１２ｂ、及び１４ｂで内側に折り曲げて、梱包箱１の下面の内側の面を形成する。このとき、ロール支持片４０、及び５０によってロール支持部３を形成する。ロール支持部３の形成手順は、後に梱包箱１の上面の形成手順を説明する際に行う。
【００２６】
フラップ２２、及び２４で梱包箱１の下面の内側の面を形成した後、フラップ２１とフラップ２３とを、互いの付け根から等距離の位置で先端部２１ａと先端部２３ａとが突き合うように、且つ、フラップ２１、及び２３がほぼ面一になるように、折り目１１ｂ、及び１３ｂで内側に折り曲げて、梱包箱１の下面の外側の面を形成する。
【００２７】
このようにして、フラップ２２、２４、２１、及び２３からなる二重の下面と、下側のロール支持部３とを形成する。そして、梱包箱１の下面が形成された状態で、図１及び２に示すように、ロールの中空部４ａにロール支持部３を差し入れるようにしてロール４を梱包箱１内に収容する。
【００２８】
次に、図４〜１０を用いて、梱包箱１の上面の形成手順について説明する。上面の形成手順は上述した下面の形成手順と同様であるが、以下の説明ではロール支持部の形成手順についても詳述する。
【００２９】
図４は、ロール支持片６０に注目して、ロール４の中空部４ａに上面側から挿入するロール支持部の形成手順の一部を概略的に示す斜視図である。図４において１点鎖線は折り線を意味する。なお、梱包箱１が組み立てられた際、図４（ａ）〜（ｄ）に示したフラップ３２の紙面上面側が、梱包箱１の内側となる。図５は、図４（ｄ）に示した状態のフラップ３２、及びロール支持片６０を上から見た様子を概略的に示す図である。図６〜９は、それぞれ梱包箱１の上面の形成手順の一部を概略的に示す斜視図である。図１０は、組み立てられた梱包箱１の外観を概略的に示す斜視図である。図４〜１０では、図面が煩雑になるのを防ぐため、一部符号を省略している。また、図４〜１０において、図１〜３に示したものと同様の構成のものには同符号を付し、説明を適宜省略する。
【００３０】
図４（ａ）は、展開された状態でのフラップ３２、及びロール支持片６０を示している。図４（ａ）に示すように、ロール支持片６０は第一延長部６１、第二延長部６２、及び第三延長部６３からなる。第二延長部６２は、第二折り目６２ｃを介して、第一延長部６１側の内片６２ｂと反対側の外片６２ａとからなる。第三延長部６３は、第二折り目６３ｃを介して、第一延長部６１側の内片６３ｂと反対側の外片６３ａとからなる。
【００３１】
ロール支持部を形成するには、まず図４（ｂ）に示したように、第一折り目６１ｂ、及び６１ｃで、第二延長部６２と第三延長部６３とを内側に折り返す。次いで、第二折り目６２ｃ、６３ｃで前記第一折り目６１ｂ、６１ｃとは逆方向に折り曲げ、第二延長部６２の先端と、第三延長部６３の先端とを突き合わせる。この状態でロール支持片６０が形成されている（図４（ｃ）参照）。そして、折り目６１ａで、ロール支持片６０を内側（紙面手前側）に折り曲げることで、図４（ｄ）に示した様に、フラップ３２に対して上向きのロール支持片６０が形成される。ロール梱包時には、前述したように、フラップ３２は図４に示される紙面上面側が折り目１２ｃで折り返されることにより、ロール支持片６０も下向きとなり、ロール中空部４ａの上側開口から下向きに差し入れることができる。
【００３２】
後述するように、ロール支持片６０を図４（ａ）から図４（ｄ）に示した状態とした手順と同様の手順でロール支持片７０も折り曲げ、そのロール支持片６０、及び７０を背中合わせにすることでロール支持部を形成する。したがって、図５に示したｘの長さを中空部４ａの内径とほぼ同一とし、ｙの長さを中空部４ａの内径のほぼ半分とすることで、ロール４と梱包箱１とをより強固に固定することができる。
【００３３】
かくして、ロール支持片６０を図４（ｄ）に示した状態とした手順と同様の手順でロール支持片７０も折り曲げ、図６に示した状態を得ることができる。
【００３４】
次に、図７に示すように、折り目１２ｃ（図３、図６参照）でフラップ３２を内側に折り曲げ、ロール支持片６０をロール４の中空部４ａに挿入することで、図８に示した状態となる。
【００３５】
さらに、折り目１４ｃでフラップ３４を内側に折り曲げ、ロール支持片７０を中空部４ａに挿入し、図９に示すように、フラップ３２、及び３４がほぼ面一になるようにして、梱包箱１の上面の内側の面を形成する。このとき、ロール支持片６０の第一延長部６１とロール支持片７０の第一延長部７１とが背中合わせになり、ロール支持部が形成される。
【００３６】
梱包箱１の下面の形成手順の説明では、ロール支持部３の形成手順の説明を省略したが、ロール支持片４０、及び５０は、ロール支持片６０、及び７０と同様の構成であるため、ロール支持片６０、及び７０からなるロール支持部の形成手順と同様にすることでロール支持部３を形成することができる。
【００３７】
フラップ３２、及び３４で梱包箱１の上面の内側の面を形成した後、フラップ３１とフラップ３３とを、互いの付け根から等距離の位置で先端部３１ａと先端部３３ａとが突き合うように、且つ、フラップ３１、及び３３がほぼ面一になるように、折り目１１ｃ、及び１３ｃで内側に折り曲げて、図１０に示すように、梱包箱１の上面の外側の面を形成する。このようにして、フラップ３２、３４、３１、及び３３からなる二重の上面を形成する。
【００３８】
本発明の梱包箱に備えられるロール支持部の形態は、被収容物のロールの内周面側に挿入でき、該ロールを支持できる形態であれば特に限定されず、これまでに説明した形態に限定されるものではない。具体的には、ロール支持片を図１１に示すような形態とすることもできる。図１１の（ａ）〜（ｄ）は、それぞれ図４の（ａ）〜（ｄ）に対応している。
【００３９】
図１１に示した形態では、フラップ１００の先端部１００ａに、第一延長部１０１、第二延長部１０２、及び第三延長部１０３からなるロール支持片１０４が備えられている。梱包時には、第一折り目１０１ｂ、及び１０１ｃで、第二延長部１０２及び第三延長部１０３が紙面手前側で互いに近づく方向に折り曲げてロール支持片１０４を形成し、さらに折り目１０１ａでロール支持片１０４を内側に折り曲げることで、ロール支持部の片割れを形成することができる。
【００４０】
本発明の梱包箱に収容される被収容物は中空部を有する筒状のものであれば特に限定されないが、本発明の梱包箱は紙粉が発生しにくい梱包箱であることから、被収容物が食品包装用材料（例えば食品包装用紙、包装用フィルム、シート、布等）や衛生材料（例えば医療用フィルム、織布、不織布、サニタリー用フィルム等）である場合、本発明の梱包箱を好適に用いることができる。
【００４１】
また、これまでの本発明の説明では、梱包箱の上面側及び下面側にロール支持部が備えられる形態について説明したが、ロール支持部は上面側又は下面側の一方にのみ備えられていても良い。ただし、上面側及び下面側の両方にロール支持部が備えられていた方が、ロールと梱包箱とをより強固に固定できるため好ましい。
【００４２】
以上、現時点において、もっとも、実践的であり、かつ、好ましいと思われる実施形態に関連して本発明を説明したが、本発明は、本願明細書中に開示された実施形態に限定されるものではなく、請求の範囲、及び明細書全体から読み取れる発明の要旨あるいは思想に反しない範囲で適宜変更可能であり、そのような変更を伴う梱包箱、及び箱入りロールもまた本発明の技術的範囲に包含されるものとして理解されなければならない。
【図面の簡単な説明】
【００４３】
【図１】上面が開放された状態の本発明の梱包箱の一例を概略的に示す斜視図である。
【図２】図１に示した状態の本発明の梱包箱の上面図である。
【図３】図１に示した形態の本発明の梱包箱を展開した状態を概略的に示す図である。
【図４】ロール支持部の形成手順の一部を概略的に示す斜視図である。
【図５】図４（ｄ）に示した状態のフラップ３２及びロール支持片６０を上から見た様子を概略的に示す図である。
【図６】本発明の梱包箱の上面形成手順の一部を概略的に示す斜視図である。
【図７】本発明の梱包箱の上面形成手順の一部を概略的に示す斜視図である。
【図８】本発明の梱包箱の上面形成手順の一部を概略的に示す斜視図である。
【図９】本発明の梱包箱の上面形成手順の一部を概略的に示す斜視図である。
【図１０】本発明の梱包箱の外観を概略的に示す斜視図である。
【図１１】本発明の梱包箱に備えられるロール支持片の他の形態を概略的に示す斜視図である。
【符号の説明】
【００４４】
１  梱包箱
２  角筒部
３  ロール支持部
４  ロール（被収容物）
４ａ  中空部
１１、１２、１３、１４  側面
１５  糊代
２１、２２、２３、２４、３１、３２、３３、３４  フラップ
４０、５０、６０、７０  ロール支持片
４１、５１、６１、７１  第一延長部
４２、５２、６２、７２  第二延長部
４３、５３、６３、７３  第三延長部
６１ａ  折り目
６１ｂ、６１ｃ  第一折り目
６２ｃ、６３ｃ  第二折り目
【図１】
2010070197.tif 000003
【図２】
2010070197.tif 000004
【図３】
2010070197.tif 000005
【図４】
2010070197.tif 000006
【図５】
2010070197.tif 000007
【図６】
2010070197.tif 000008
【図７】
2010070197.tif 000009
【図８】
2010070197.tif 000010
【図９】
2010070197.tif 000011
【図１０】
2010070197.tif 000012
【図１１】
2010070197.tif 000013